(57)【要約】【課題】  多数のガラス板を積層しても確実に保持でき、かつ鉛直軸心回りに回動可能に保持できる積層ガラスブロックの保持具を提供する。【解決手段】    左右一対の支柱２と上下一対の横架材３とにより方形状の枠体４を形成し、上下一対の横架材３の左右中心部に鉛直軸心Ｙ回りに回動自在の上縦軸部材５と下縦軸部材６とを設け、下縦軸部材６の上端部に支持台８を水平状に固定し、上縦軸部材５の軸心部に下端から上方に延びるボルト穴１２を形成し、該ボルト穴１２に基部側に締め付けナット１３が螺合されたボルト１４の上部側を上方に向けて上下動可能かつ回動不能に嵌合させ、ボルト１４の下端部に押さえ板１９を支持台８に対面させて取付け、支持台８と押さえ板１９との間に積層ガラスブロック３７を保持する。【選択図】  図１
2015104785.tif 000002
【特許請求の範囲】
【請求項１】
左右一対の支柱と上下一対の横架材とにより方形状の枠体を形成し、前記上下一対の横架材の左右中心部に鉛直軸心回りに回動自在の上縦軸部材と下縦軸部材とを設け、下縦軸部材の上端部に支持台を水平状に固定し、上縦軸部材の軸心部に下端から上方に延びるボルト穴を形成し、該ボルト穴に基部側に締め付けナットが螺合されたボルトの上部側を上方に向けて上下動可能かつ回動不能に嵌合させ、前記ボルトの下端部に押さえ板を前記支持台に対面させて取付け、前記支持台と前記押さえ板との間に積層ガラスブロックを保持することを特徴とする積層ガラスブロックの保持具。
【請求項２】
押さえ板は上縦軸部材に対して傾斜可能な遊びを有してなる請求項１に記載の積層ガラスブロックの保持具。
【発明の詳細な説明】
【技術分野】
【０００１】
本発明は、多数のガラス板を積層した積層ガラスブロックを保持する保持具に関する。
【背景技術】
【０００２】
携帯電話、スマートフォン、タブレット型端末のＬＣＤ（液晶表示装置）として、傷が付きにくく視認性に優れる板ガラスが使用されるようになってきている。板ガラスは脆性が高いため、縁部や端面を加工（面取り）する必要がある。
多数の板ガラスの端面加工を少ない工程で円滑に行えるようにした板ガラスの端面加工方法が知られている（特許文献１）。多数の素材板ガラスを剥離可能な固着材やフィルムを介して一体的に積み重ねた素材ガラスブロックを設け、該素材ガラスブロックを分割して小面積の分割ガラスブロックを形成し、外周に多数の可撓性のブラシ材５０を放射状に設けた回転ブラシ５１により前記分割ガラスブロック５２の端面５２ａを研磨して各分割ガラスの縁部を面取りする加工方法である（図８）。
【０００３】
分割ガラスブロックを多数段積み重ねると重量も重くなり、これを安定して保持するには、従来の簡単なクリップでは不十分である。また、板ガラスの端面加工を効率よく行うには、積層ガラスブロックを鉛直軸心回りに回動可能に保持する必要がある。
【先行技術文献】
【特許文献】
【０００４】
【特許文献１】特開２０１０−２６９３８９号公報
【発明の概要】
【発明が解決しようとする課題】
【０００５】
そこで、本発明の目的は、多数のガラス板を積層しても確実に保持でき、かつ鉛直軸心回りに回動可能に保持できる積層ガラスブロックの保持具を提供することにある。
【課題を解決するための手段】
【０００６】
上記課題を解決するため、本発明による積層ガラスブロックの保持具は、左右一対の支柱と上下一対の横架材とにより方形状の枠体を形成し、前記上下一対の横架材の左右中心部に鉛直軸心回りに回動自在の上縦軸部材と下縦軸部材とを設け、下縦軸部材の上端部に支持台を水平状に固定し、上縦軸部材の軸心部に下端から上方に延びるボルト穴を形成し、該ボルト穴に基部側に締め付けナットが螺合されたボルトの上部側を上方に向けて上下動可能かつ回動不能に嵌合させ、前記ボルトの下端部に押さえ板を前記支持台に対面させて取付け、前記支持台と前記押さえ板との間に積層ガラスブロックを保持する構成としたものである。
ここで、押さえ板を上縦軸部材に対して傾斜可能な遊びを有してなるものとすることができる。
【発明の効果】
【０００７】
本発明による積層ガラスブロックの保持具によれば、支持台と押さえ板との間に積層ガラスブロックを保持し、ボルトに螺合された締め付けナットを所定のトルクで締めつけることにより、支持台と押さえ板との間に積層ガラスブロックをしっかりと保持することができる。この場合、上縦軸部材と下縦軸部材とは鉛直軸心回りに回動自在に設けてあるので、支持台と押さえ板との間に保持した積層ガラスブロックを鉛直軸心回りに回動させることができる。
また、押さえ板を上縦軸部材に対して傾斜可能な遊びを有してなるものとすれば、積層ガラスブロックの厚みが均一でない場合にこれを吸収して、支持台と押さえ板との間に積層ガラスブロックをしっかり保持することができる。
【図面の簡単な説明】
【０００８】
【図１】本発明の実施例による積層ガラスブロックの保持具の正面図である。
【図２】本発明の実施例による積層ガラスブロックの保持具の側面図である。
【図３】本発明の実施例による積層ガラスブロックの保持具の平面図である。
【図４】押さえ板を上下動させた状態及び押さえ板の傾斜の様子を示す図１相当の正面図である。
【図５】押さえ板の傾斜の様子を示す要部を拡大した部分断面正面図である。
【図６】積層ガラスブロックを挟持した状態の図１相当の正面図である。
【図７】積層ガラスブロックの端面を回転ブラシで研磨加工する様子を示す平面説明図である。
【図８】従来例による積層ガラスブロックの端面の加工方法の説明図である。
【発明を実施するための形態】
【０００９】
以下、本発明を実施するための形態を図面に基づいて具体的に説明する。本発明の実施例による積層ガラスブロックの保持具１は、左右一対の支柱２（２ａ，２ｂ）と上下一対の横架材３（３ａ，３ｂ）とにより形成した方形状の枠体４、上下一対の横架材３ａ，３ｂの左右方向中心の鉛直軸心Ｙの回りに回動自在に設けた上縦軸部材５及び下縦軸部材６、上縦軸部材５に対して上下動する押さえ部材７、下縦軸部材６の上端部に設けた支持台８等を有する。
【００１０】
左右一対の支柱２は長方形状の板材、また、上下一対の横架材３は両端部から中央に向かって次第に広幅となる横長の板材からなる（図２、図３）。これら左右一対の支柱２と上下一対の横架材３とを方形状に組み付け、接合部を溶接固定し枠体４とする。枠体４の四隅内側には三角形状の補強板９を溶接固定してある。
【００１１】
上横架材３ａの左右方向中心部に、ベアリングケース１０をボルトで固定し、ベアリングを介して上縦軸部材５を鉛直軸心Ｙを中心として回動自在に設けてある。
上縦軸部材５には軸心部に下端から上方に延びるボルト穴１２を形成してあり、該ボルト穴１２に基部側に締め付けナット１３が螺合されたボルト１４の上部側を上方に向けて嵌合させてある。ボルト１４は上縦軸部材５に対して上下動可能かつ回転不能にボルト穴１２に嵌合してある。符号１５は回転止めのキーである。
【００１２】
符号１６はボルト１４がボルト穴１２から抜け落ちるのを防止する抜け止めである。抜け止め１６には、ボルト１４の軸部の径より広幅でかつ締め付けナット１３の外径より小幅のＵ字状の切欠き１７が形成され、該切欠き１７にボルト軸の締め付けナット１３より基部側が挿通されている。
ベアリングケース１０の下端部には、リング状蓋体２１をねじ止め固定してある。また、リング状蓋体２１には抜け止め１６を保持する保持板２２をねじ止め固定してある。
【００１３】
ボルト下端には、長方形状の押さえ板１９を水平状に取付けてある。そして、締め付けナット１３を回動させることにより、押さえ板１９（押さえ部材７）は上縦軸部材５に対して上下動する（図４の一点鎖線）。
【００１４】
図５に示すように、ボルト１４の下端部は段付き小径部２８が形成され、続く最下端部は円錐台状の斜面２９に形成されている。一方、この斜面２９に対面する押さえ板１９の部位は傾斜凹面３０に形成され、斜面２９と傾斜凹面３０とはテーパー嵌合されている。ボルト１４の下端部の小径部２８にリング部材３１を嵌合し、該リング部材３１をボルト締め（３２）で押さえ板１９に固定してある。
【００１５】
そして、押さえ板１９の鉛直軸心部を六角穴付きボルト２７でボルト１４の下端部に締め付けて、押さえ板１９をボルト１４に取付ける。このとき、六角穴付きボルト２７にはウレタン製クッション３３を介在させてある。また、ボルト１４の下端部の小径部２８の外周壁面とリング部材３１の内周壁面との間には僅かの隙間３４を設けてある。さらに、六角穴付きボルト２７の基部と押さえ板１９のネジ孔との間にも僅かの隙間３５を設けてある。これらにより、押さえ板１９は、ボルト１４（上縦軸部材５）に対して遊びを有し、図４、図５の二点鎖線で示すように、水平状態から僅かに傾斜可能となっている。なお、図示した構造は一例であり、押さえ板１９が上縦軸部材５に対して僅かに傾斜可能な遊びを有するものであれば他の構造でもよい。
【００１６】
上縦軸部材５の上端部には水平方向に溝２５を形成してあり（図３）、該溝２５に係合部材（図示せず）を係合し、該係合部材を回転させることにより、上縦軸部材５を回転可能としてある。
【００１７】
下横架材３ｂの左右中心部にも、ベアリングケース２６をボルトで固定し、ベアリングを介して下縦軸部材６を鉛直軸心Ｙを中心として回動自在に取付けてある。
そして、下縦軸部材６の上端部には上記押さえ板１９と同じ長方形状の支持台８を、上記押さえ板１９に対面させてボルトで水平状に固定してある。
【００１８】
ベアリングケース２６の上端部には、上記と同様、リング状蓋体２１をねじ止め固定してある。
下縦軸部材６の下端部は、上縦軸部材５の上端部と同様に溝２５を形成してある。これにより、枠体４の上下を逆にして使用することもできる。
左右の支柱２ａ，２ｂには、ぞれぞれ上下２箇所に掛け部材３６を取付けてある。この掛け部材３６は、運搬用台車に設けたフック（図示せず）に掛けて積層ガラスブロックを保持した保持具１を運搬する際に使用する。
【００１９】
次に、実施例による積層ガラスブロックの保持具１の使用方法を説明する。図６に示すように、支持台８上に積層ガラスブロック３７を所定の厚さに積み上げる。そして、締め付けナット１３を締め付け方向に回し、トルクレンチにより所定のトルクで締め付けて、支持台８と押さえ板１９との間に積層ガラスブロック３７を確実に保持する。
【００２０】
この場合、個々のガラス板、固着材又はフィルムには一枚一枚に僅かの厚みむらがあり、これを多数積層、例えば３００枚程度（厚さ２００ｍｍ程度）積層すれば、積層ガラスブロック３７全体として厚みむらを生じることが往々にして起こる。このとき、押さえ板１９は上縦軸部材５に対して遊びを有するので、該遊びにより押さえ板１９が僅かに傾斜して厚みむらを吸収することとなる。このため、支持台８と押さえ板１９との間に積層ガラスブロック３７をしっかり保持することができる。
【００２１】
上縦軸部材５と下縦軸部材６は、鉛直軸心Ｙを中心として回動自在に設けてあるので、上縦軸部材５上端の溝２５に係合した係合部材を回動させると、下縦軸部材６も連れ回りし、積層ガラスブロック３７が鉛直軸心Ｙを中心として回動することになる。
このように、積層ガラスブロックの保持具１により積層ガラスブロック３７を確実に保持し、また、鉛直軸心Ｙを中心として保持した積層ガラスブロック３７を回動自在としてあるので、図７に示すように、保持した積層ガラスブロック３７を回転させつつ、積層ガラスブロック３７の両側に配置した回転ブラシ３８，３８を矢印方向に移動させながら回転させることにより、積層ガラスブロック３７の両側を同時に端面加工することができる。
【００２２】
なお、積層ガラスブロック３７の端面加工には、通常１〜１．５時間を要するので、その間に、保持具１に積層ガラスブロック３７をセットしておけば、端面加工装置から端面加工の終了した積層ガラスブロックの保持具を取り外し、予めセットしておいた保持具を端面加工装置に装着することにより、効率よく端面加工作業を進めることができる。
【符号の説明】
【００２３】
１  保持具
２，２ａ，２ｂ  支柱
３  横架材
３ａ  上横架材
３ｂ  下横架材
４  枠体
５  上縦軸部材
６  下縦軸部材
７  押さえ部材
８  支持台
９  補強板
１０  ベアリングケース
１２  ボルト穴
１３  締め付けナット
１４  ボルト
１５  キー
１６  抜け止め
１７  切欠き
１９  押さえ板
２１  リング状蓋体
２２  保持板
２５  溝
２６  ベアリングケース
２７  六角穴付きボルト
２８  小径部
２９  斜面
３０  傾斜凹部
３１  リング部材
３２  ボルト
３３  クッション
３４，３５  隙間
３６  掛け部材
３７  積層ガラスブロック
３８  回転ブラシ
【図１】
2015104785.tif 000003
【図２】
2015104785.tif 000004
【図３】
2015104785.tif 000005
【図４】
2015104785.tif 000006
【図５】
2015104785.tif 000007
【図６】
2015104785.tif 000008
【図７】
2015104785.tif 000009
【図８】
2015104785.tif 000010
【手続補正書】
【提出日】平成27年1月5日(2015.1.5)
【手続補正１】
【補正対象書類名】特許請求の範囲
【補正対象項目名】請求項１
【補正方法】変更
【補正の内容】
【請求項１】
左右一対の支柱と上下一対の横架材とにより方形状の枠体を形成し、前記上下一対の横架材の左右中心部に鉛直軸心回りに回動自在の上縦軸部材と下縦軸部材とを設け、下縦軸部材の上端部に支持台を水平状に固定し、上縦軸部材の軸心部に下端から上方に延びるボルト挿通穴を形成し、該ボルト挿通穴に下部側に締め付けナットが螺合されたボルトの上部側を上方に向けて上下動可能かつ回動不能に挿通させ、前記ボルトの下端部に押さえ板を前記支持台に対面させて取付け、前記支持台と前記押さえ板との間に積層ガラスブロックを保持することを特徴とする積層ガラスブロックの保持具。
【手続補正２】
【補正対象書類名】明細書
【補正対象項目名】０００６
【補正方法】変更
【補正の内容】
【０００６】
上記課題を解決するため、本発明による積層ガラスブロックの保持具は、左右一対の支柱と上下一対の横架材とにより方形状の枠体を形成し、前記上下一対の横架材の左右中心部に鉛直軸心回りに回動自在の上縦軸部材と下縦軸部材とを設け、下縦軸部材の上端部に支持台を水平状に固定し、上縦軸部材の軸心部に下端から上方に延びるボルト挿通穴を形成し、該ボルト挿通穴に下部側に締め付けナットが螺合されたボルトの上部側を上方に向けて上下動可能かつ回動不能に挿通させ、前記ボルトの下端部に押さえ板を前記支持台に対面させて取付け、前記支持台と前記押さえ板との間に積層ガラスブロックを保持する構成としたものである。
ここで、押さえ板を上縦軸部材に対して傾斜可能な遊びを有してなるものとすることができる。
【手続補正３】
【補正対象書類名】明細書
【補正対象項目名】００１１
【補正方法】変更
【補正の内容】
【００１１】
上横架材３ａの左右方向中心部に、ベアリングケース１０をボルトで固定し、ベアリングを介して上縦軸部材５を鉛直軸心Ｙを中心として回動自在に設けてある。
上縦軸部材５には軸心部に下端から上方に延びるボルト挿通穴１２を形成してあり、該ボルト挿通穴１２に基部側（下部側）に締め付けナット１３が螺合されたボルト１４の上部側を上方に向けて挿通させてある。ボルト１４は上縦軸部材５に対して上下動可能かつ回動不能にボルト挿通穴１２に挿通してある。符号１５は回転止めのキーである。
【手続補正４】
【補正対象書類名】明細書
【補正対象項目名】００１２
【補正方法】変更
【補正の内容】
【００１２】
符号１６はボルト１４がボルト挿通穴１２から抜け落ちるのを防止する抜け止めである。抜け止め１６には、ボルト１４の軸部の径より広幅でかつ締め付けナット１３の外径より小幅のＵ字状の切欠き１７が形成され、該切欠き１７にボルト軸の締め付けナット１３より基部側（下部側）が挿通されている。
ベアリングケース１０の下端部には、リング状蓋体２１をねじ止め固定してある。また、リング状蓋体２１には抜け止め１６を保持する保持板２２をねじ止め固定してある。